(57)【要約】【課題】  レンズ群の移動を高精度に行え光学性能の劣化が無く操作性も良好であり、製造コストも安価であるズームレンズ鏡筒を提供すること。【解決手段】  ズーミング操作時に回転させる操作リング１と、第１溝が形成され前記操作リングによって回転する回転筒５と、前記第１溝に交差して第２溝が形成され回転しない固定筒７と、レンズを支持するレンズ枠９と、前記第１溝と前記第２溝のそれぞれに係合するカムフォロアピン２５を有し、前記カムフォロアピンは、前記第１溝と前記第２溝のそれぞれに対して当接する突起部２７ａ、２７ｂを有する弾性部材２７が取り付けピン２５Ｘに嵌合されているズームレンズ鏡筒１００。【選択図】  図１
2006276219.tif 000002
【特許請求の範囲】
【請求項１】
ズーミング操作時に回転させる操作リングと、
第１溝が形成され前記操作リングによって回転する回転筒と、
前記第１溝に交差する第２溝が形成され回転しない固定筒と、
レンズを支持するレンズ枠と、
前記第１溝と前記第２溝のそれぞれに係合するカムフォロアピンを有し、
前記カムフォロアピンは、前記第１溝と前記第２溝のそれぞれに当接する凸部を有する弾性部材が取り付けピンに嵌合されていることを特徴とするズームレンズ鏡筒。
【請求項２】
前記カムフォロアピンは、前記凸部位置に対応する前記取り付けピンの外周部に凹部が形成されていることを特徴とする請求項１に記載のズームレンズ鏡筒。
【請求項３】
前記弾性部材の凸部は、矩形状、台形状、または半円形状に形成されていることを特徴とする請求項１または２に記載のズームレンズ鏡筒。
【請求項４】
前記第１溝はカム溝、前記第２溝は直進溝またはカム溝であることを特徴とする請求項１から３のいずれか１項に記載のズームレンズ鏡筒。
【発明の詳細な説明】
【技術分野】
【０００１】
本発明は、カメラのズームレンズなどに用いられるズームレンズ鏡筒に関する。
【背景技術】
【０００２】
従来、カメラのズームレンズ鏡筒は、ズーム操作のために回転させる操作リング、カム溝を有し操作リングの回転に係合し回転するカム筒、直進溝またはカム溝を有し回転しない固定筒、光軸方向に移動可能な移動枠、移動枠内に固定されたレンズ群によって構成され、光軸方向に移動可能な移動枠に固着されたカムフォロアピンがカム筒に形成されたカム溝および固定筒に形成された直進溝またはカム溝に摺動可能に係合されている。操作リングを回転することによってカム筒が回転し、カム筒のカム溝と直進溝またはカム溝の重なる位置にカムフォロアピンが移動し、レンズ群が所定の位置に移動するように構成されている（例えば、特許文献１参照。）。
【特許文献１】特開２０００−１８０６８９号公報
【発明の開示】
【発明が解決しようとする課題】
【０００３】
しかしながら、従来のズームレンズ鏡筒はズーム作動を良好にするためにカムフォロアピンと係合するカム筒上のカム溝および固定筒上の直進溝またはカム溝との間にガタ（隙間）を必要とした。このガタを少なくするために各溝に対して適正寸法のカムフォロアピンを組込むことが必要であり作業が煩雑になること、また各溝の寸法ばらつきに対応するために種々の寸法のカムフォロアピンを用意することが必要となりコストがかかると言う問題がある。また、レンズ群が移動する際にガタのために移動位置に誤差が発生し、ズームレンズの性能劣化に繋がると言う問題がある。また、ガタをなくするためにカムフォロアピンの外径を各溝の寸法より大きく形成して各溝に圧入すると、摺動抵抗が大きくなりズーム操作性が悪化すると言う問題がある。
【０００４】
本発明は、上記問題に鑑みて行われたものであり、レンズ群の移動を高精度に行え光学性能の劣化が無く操作性も良好であり、製造コストも安価であるズームレンズ鏡筒を提供することを目的とする。
【課題を解決するための手段】
【０００５】
上記目的を達成するために、本発明は、ズーミング操作時に回転させる操作リングと、第１溝が形成され前記操作リングによって回転する回転筒と、前記第１溝に交差する第２溝が形成され回転しない固定筒と、レンズを支持するレンズ枠と、前記第１溝と前記第２溝のそれぞれに係合するカムフォロアピンを有し、前記カムフォロアピンは、前記第１溝と前記第２溝のそれぞれに当接する凸部を有する弾性部材が取り付けピンに嵌合されていることを特徴とするズームレンズ鏡筒を提供する。
【０００６】
また、本発明にかかるズームレンズ鏡筒では、前記カムフォロアピンは、前記凸部位置に対応する前記取り付けピンの外周部に凹部が形成されていることが好ましい。
【０００７】
また、本発明にかかるズームレンズ鏡筒では、前記弾性部材の突起部は、矩形状、台形状、または半円形状に形成されていることが好ましい。
【０００８】
また、本発明にかかるズームレンズ鏡筒では、前記第１溝はカム溝、前記第２溝は直進溝またはカム溝であるこが好ましい。
【発明の効果】
【０００９】
本発明によれば、レンズ群の移動を高精度に行え光学性能の劣化が無く操作性も良好であり、製造コストも安価であるズームレンズ鏡筒を提供することができる。
【発明を実施するための最良の形態】
【００１０】
以下、本発明の一実施の形態に関し図１〜図３を参照しつつ説明する。
【００１１】
図１は、本発明の実施の形態にかかるズームレンズ鏡筒の概略構成図である。図２は、図１の部分拡大図を示す。図３は、本実施の形態にかかるズームレンズ鏡筒に用いられるカムフォロアピンの例を示し、（ａ）は図１で用いられているカムフォロアピンを示し、（ｂ）および（ｃ）は（ａ）の変形例をそれぞれ示す。
【００１２】
図１、図２において、ズームレンズ鏡筒１００は、ズーミングの際に回転する操作リング１、操作リング１に結合されたズームキー３を介して操作リング１の回転が伝達され回転するカム筒５、カム筒５の内面に配設されマウント１５に固着された固定筒７、固定筒７の内面を光軸方向に摺動する移動枠９、移動枠９に固定され第１レンズ群を支持し第１レンズ群を光軸方向に移動する第１レンズ枠１１、移動枠９に固定され第２レンズ群を支持し第２レンズ群を光軸方向に移動する第２レンズ群枠１３、第２レンズ群枠１３に固定され第３レンズ群を支持し第２レンズ群と一緒に光軸方向に移動する第３レンズ群枠１７、フォーカスリング１９の回転を第２レンズ群のフォーカス調整部２３に伝達するフォーカスキー２１、およびカム筒５に形成されたカム溝５ａと固定筒７に形成された直進溝７ａに摺動可能に係合されたカムフォロアピン２５が移動枠９に固着されて構成されている。なお、直線溝７ａは、固定筒７に形成されたカム溝で有っても良い。
【００１３】
ズーミング時に操作リング１の回転がズームキー３を介してカム筒５に伝達されてカム筒５が回転し、カム筒５のカム溝５ａと固定筒７の直進溝７ａに摺動可能に係合されたカムフォロアピン２５が直線溝７ａに沿って移動し、カムフォロアピン２５に固着されている移動枠９が光軸方向に沿って移動する。移動枠９の移動に伴い移動枠９に固定されているそれぞれのレンズ群が所定の位置に移動することでズーミング操作が行われる。
【００１４】
ズーミング操作後、フォーカスリング１９を回転することで、フォーカスキー２１を介して第２レンズ群を支持しているフォーカス調整部２３を回転して第２レンズ群を光軸方向に移動しフォーカス調整を行う。
【００１５】
本実施の形態にかかるズームレンズ鏡筒１００では、カムフォロアピン２５は、図３（ａ）に示すように、カム溝５ａに当接する凸部２７ａと直線溝７ａに当接する凸部２７ｂを有する弾性部材２７が、取り付けピン２５Ｘの外周部に嵌合されて形成されている。取り付けピン２５Ｘには、移動枠９に固着する際に用いるねじ部２５Ｎを有している。弾性部材２７は、デルリン（登録商標）のような摺動抵抗の少ない部材から形成されている。なお、デルリン（登録商標）以外にもテフロン（登録商標）などの摺動抵抗の少ない弾性部材であれば使用することができる。
【００１６】
凸部２７ａと２７ｂの寸法（直径）は、それぞれ係合するカム溝５ａ、直線溝７ａ溝幅寸法に比べ僅かに大きく形成されており、カム溝５ａと直線溝７ａ圧入した時に適度の摺動抵抗が生じると供に、カム筒５と固定筒７にガタが生じない構成となっている。
【００１７】
図３（ｂ）は、カムフォロアピン２５の第１の変形例を示す。弾性部材２９に形成されている凸部２９ａ、２９ｂが略台形状に形成され、凸部２９ａ、２９ｂに対応する取り付けピン２５Ｙの外周部にそれぞれ凹部２５ａ、２５ｂが形成されている。取り付けピン２５Ｘには、移動枠９に固着する際に用いるねじ部２５Ｎを有している。このように、凸部２９ａ、２９ｂの形状が略台形状であるために、カム溝５ａおよび直線溝７ａにカムフォロアピン２５を圧入しやすくなる。また、取り付けピン２５Ｙの外周部に凹部２５ａ、２５ｂが形成されているため、カムフォロアピン２５をカム溝５ａおよび直線溝７ａに圧入する時、弾性部材２７が変形し圧入しやすくなる。また、凹部２５ａ、２５ｂにより弾性部材２９が変形しやすくなるため弾性部材２９の摺動抵抗を下げることも可能になる。
【００１８】
図３（ｃ）は、カムフォロアピン２５の第２の変形例を示す。弾性部材３１に形成されている凸部３１ａ、３１ｂが略半円形状に形成され、凸部３１ａ、３１ｂに対応する取り付けピン２５Ｚの外周部にそれぞれ凹部２５ｃ、２５ｄが形成されている。取り付けピン２５Ｘには、移動枠９に固着する際に用いるねじ部２５Ｎを有している。このように、凸部３１ａ、３１ｂの形状が略円形状であるために、カム溝５ａおよび直線溝７ａにカムフォロアピン２５を圧入しやすくなると供に、カム溝５ａおよび直線溝７ａに対する接触部が少なくなり摺動抵抗を小さくすることができる。また、取り付けピン２５Ｚの外周部に凹部２５ｃ、２５ｄが形成されているため、カムフォロアピン２５をカム溝５ａおよび直線溝７ａに圧入する時、弾性部材３１が変形し圧入しやすくなると供に、弾性部材３１
の摺動抵抗を下げることも可能になる。
【００１９】
このように、本実施の形態にかかるズームレンズ鏡筒１００では、カムフォロアピン２５が取り付けピン２５Ｘ、２５Ｙ、２５Ｚの外周部にそれぞれ凸部２７ａ、２７ｂ、２９ａ、２９ｂ、３１ａ、３１ｂを有する弾性部材２７、２９、３１が形成されているために、カム溝５ａおよび直線溝７ａに圧入しやすくなる。また両溝５ａ、７ａに係合された時、摺動抵抗を下げることができ、さらにカム筒５および固定筒７のがたつきを防止することができる。また、カムフォロアピン２５の取り付けピン２５Ｙ、２５Ｚにそれぞれ凹部２５ａ、２５ｂ、２５ｃ、２５ｄが形成されているため、弾性部材２９、３１が変形しやすくなり、さらに摺動抵抗を下げることができる。また、カムフォロアピン２５が弾性部材２７、２９、３１を有しているために、カム溝５ａおよび直線溝７ａの溝幅寸法のばらつきを吸収できるので種々の寸法のカムフォロアピン２５を準備する必要が無くなり製造コストの低減が可能になる。
【００２０】
なお、凸部の形状、サイズ等は、カム溝や直線溝に合わせ、また摺動抵抗などの設計値に合わせ適宜変更可能であり、上記形状に限定されるのもではない。また、カムフォロアピン全体を弾性部材で形成することも可能である。
【００２１】
なお、上述の実施の形態は例に過ぎず、上述の構成や形状に限定されるものではなく、本発明の範囲内において適宜修正、変更が可能である。
【図面の簡単な説明】
【００２２】
【図１】本発明の実施の形態にかかるズームレンズ鏡筒の概略構成図である。
【図２】図１のカムフォロアピン近傍の部分拡大図を示す。
【図３】本実施の形態にかかるズームレンズ鏡筒に用いられるカムフォロアピンの例を示し、（ａ）は図１で用いられているカムフォロアピンを示し、（ｂ）および（ｃ）は（ａ）の変形例をそれぞれ示す。
【符号の説明】
【００２３】
１      操作リング
３      ズームキー
５      カム筒
７      固定筒
９      移動枠
１１    第１レンズ群枠
１３    第２レンズ群枠
１５    マウント
１７    第３レンズ群枠
１９    フォーカスリング
２１    フォーカスキー
２３    フォーカス調整部
２５    カムフォロアピン
２７、２９、３１  弾性部材
１００  ズームレンズ鏡筒
【図１】
2006276219.tif 000003
【図２】
2006276219.tif 000004
【図３】
2006276219.tif 000005